(57)【要約】      （修正有）【課題】椅子やベッドなどから車椅子に乗り移る際、或いは、車椅子から椅子などに乗り移る際に、使用者の身体的負担を軽減させることができる車椅子を提供する。【解決手段】車椅子１において、台車２に基台３を設け、基台３に使用者の尻部を受けるための尻受体３０と使用者の胸部を受けるための胸受体３１とを基台３に対して前後傾動可能に設け、尻受体３０を前後伸縮可能に形成することにした。また、前記基台３を昇降可能に形成することにした。さらに、前記胸受体３１を尻受体３０に対して前後傾動可能に形成する。【選択図】図３
0003152276.tif 000002
【実用新案登録請求の範囲】
【請求項１】
台車に基台を設け、基台に使用者の尻部を受けるための尻受体と使用者の胸部を受けるための胸受体とを基台に対して前後傾動可能に設け、尻受体を前後伸縮可能に形成したことを特徴とする車椅子。
【請求項２】
前記基台を昇降可能に形成したことを特徴とする請求項１に記載の車椅子。
【請求項３】
前記胸受体を尻受体に対して前後傾動可能に形成したことを特徴とする請求項１又は請求項２に記載の車椅子。
【考案の詳細な説明】
【技術分野】
【０００１】
本考案は、車椅子に関するものである。
【背景技術】
【０００２】
従来より、車椅子は、広く利用されているが、椅子やベッドなどと車椅子との間での移動（乗り移り）に際して、使用者の身体的負担が大きく、介護者が必要となることが多かった。
【０００３】
そのため、たとえば特許文献１に開示された車椅子のように、背もたれを開閉可能に形成し、着座部の後側から乗り移りができるように構成したものが開発されている。
【先行技術文献】
【特許文献】
【０００４】
【特許文献１】特開２００８−２５９５６１号公報
【考案の概要】
【考案が解決しようとする課題】
【０００５】
ところが、上記従来の車椅子では、車椅子から或いは車椅子へ乗り移る際に、着座部の後側から前側まで身体を移動させなければならず、依然として使用者の身体的負担が大きいものであった。
【課題を解決するための手段】
【０００６】
そこで、請求項１に係る本考案では、車椅子において、台車に基台を設け、基台に使用者の尻部を受けるための尻受体と使用者の胸部を受けるための胸受体とを基台に対して前後傾動可能に設け、尻受体を前後伸縮可能に形成することにした。
【０００７】
また、請求項２に係る本考案では、前記請求項１に係る本考案において、前記基台を昇降可能に形成することにした。
【０００８】
また、請求項３に係る本考案では、前記請求項１又は請求項２に係る本考案において、前記胸受体を尻受体に対して前後傾動可能に形成することにした。
【考案の効果】
【０００９】
そして、本考案では、以下に記載する効果を奏する。
【００１０】
すなわち、本考案では、車椅子において、台車に基台を設け、基台に使用者の尻部を受けるための尻受体と使用者の胸部を受けるための胸受体とを基台に対して前後傾動可能に設け、尻受体を前後伸縮可能に形成しているために、胸受体で使用者の胸部を受ける（支持する）ことによって使用者の尻部を尻受体から浮かせた状態で尻受体を伸張又は短縮させることができるので、車椅子から或いは車椅子へ乗り移る際に、使用者は短縮させた尻受体の長さ分だけ移動すればよくなり、使用者の移動距離が短くなって、使用者の身体的負担を軽減させることができる。
【００１１】
特に、基台を昇降可能に形成した場合には、乗り移る椅子やベッドなどの高さに尻受体の高さを調節することができ、より一層使用者の身体的負担を軽減させることができる。
【００１２】
また、胸受体を尻受体に対して前後傾動可能に形成した場合には、使用者をより一層前傾させることができ、使用者の尻部を尻受体から確実に浮かせることができ、尻受体の伸縮を容易に行うことができる。
【図面の簡単な説明】
【００１３】
【図１】本考案に係る車椅子を示す全体図（（ａ）平面図、（ｂ）正面図、（ｃ）側面図、（ｄ）背面図）。
【図２】台車を示す拡大図（（ａ）平面図、（ｂ）正面図、（ｃ）側面図）。
【図３】車椅子を示す側面拡大断面図。
【図４】車椅子の使用方法を示す説明図。
【考案を実施するための形態】
【００１４】
以下に、本考案に係る車椅子の具体的な構成について図面を参照しながら説明する。
【００１５】
図１に示すように、車椅子１は、台車２の上部に基台３を取付け、基台３の後部に台座４を前後傾動可能に取付けるとともに、基台３の前側上部にカバー体５を前後傾動可能に取付けている。
【００１６】
まず、台車２の構成について説明すると、台車２は、図１及び図２に示すように、矩形板状の台板６の四隅下部に転動輪７をそれぞれ回転可能に取付けるとともに、台板６の中央下部に左右一対の操舵輪８を９０度の範囲で回転可能に取付けている。
【００１７】
この台車２には、転動輪７を停車させるための停車機構９と、操舵輪８を操舵するための操舵機構10とを設けている。
【００１８】
停車機構９は、各転動輪７にブレーキパッド11を昇降可能に設けるとともに、各ブレーキパッド11に操作レバー12を連動連結し、前後の操作レバー12の先端同士をスプリング13で連結し、スプリング13をカバー14で被覆して構成している。
【００１９】
そして、停車機構９は、操作レバー12を上方に向けて引上げると、それに伴ってブレーキパッド11が車輪15から離反し、これによりブレーキ解除状態となり、一方、操作レバー12を下方に向けて押し下げると、それに伴ってブレーキパッド11が車輪15を押圧し、これによりブレーキロック状態となる。
【００２０】
操舵機構10は、台板６に円板状のプレート16を回転可能に取付け、プレート16に操舵輪8,8を取付けるとともに、プレート16に左右一対の操作レバー17を連動連結して構成している。
【００２１】
そして、操舵機構10は、左右の操作レバー17,17を内側に押すと操舵輪８が前後方向に向き、左右の操作レバー17,17を外側に向けて引くと操舵輪８が徐々に左右方向に向けて回転する。これにより、台車２は、操舵機構10で操舵した操舵輪８が向いている方向に容易に移動することができる。
【００２２】
次に、基台３の構成について説明すると、基台３は、図１及び図３に示すように、台車２の前側上部中央に矩形中空管状の支柱18を取付けるとともに、台車２の中央上部に中空枠状の支持枠19を取付け、支持枠19に昇降台20を支柱18に沿って昇降可能に取付け、支持枠19と昇降台20との間に昇降機構21を介設している。
【００２３】
昇降機構21は、支持枠19に固定した固定体22と昇降台20の下端に取付けた昇降体23との間に平行リンク24を介設する一方、支柱18の前側上部にハンドル25の回転軸26を回転自在に取付け、支柱18と回転軸26との間にラチェット機構27を介設して、昇降体23と回転軸26とをワイヤ28で連結している。
【００２４】
これにより、基台３は、昇降機構21のハンドル25をラチェット機構27のロック解除方向に向けて回転させることでワイヤ28を巻き上げて昇降台20を上昇させることができ、一方、ラチェット機構27のロック状態を解除することで昇降台20を自重で下降させることができる。
【００２５】
次に、台座４の構成について説明すると、台座４は、図１及び図３に示すように、昇降台20に支持フレーム29を前後回転自在に取付け、この支持フレーム29の基端部に使用者の尻部を受けるための尻受体30を取付けるとともに、支持フレーム29の先端部に使用者の胸部を受けるための胸受体31を前後回転自在に取付けている。
【００２６】
尻受体30は、支持フレーム29の基端部に中空箱型状の第１座体32の前端部を取付けるとともに、第１座体32の中空部に中空箱型状の第２座体33及び第３座体34を収容可能に取付け、第３座体34に取付けた左右一対のロッド35で第１〜第３座体32,33,34を伸縮可能に連結し、各ロッド35を第１座体32の前側でカバー36で被覆している。
【００２７】
そして、尻受体30は、第１〜第３座体32,33,34によって前後に伸縮可能となっており、水平状態において第１座体32を昇降台20の上部で支持するとともに、昇降台20（基台３）に対して支持フレーム29とともに前方に向けて傾動するようになっている。なお、尻受体30は、前傾時に支持フレーム29が昇降台20に取付けたダンパースプリング37に当接して、所定角度（ここでは、20度）の傾斜角度まで前傾するようになっている。
【００２８】
胸受体31は、支持フレーム29の先端部に傾動フレーム38の前側下部を前後回転自在に取付け、傾動フレーム38の後部に胴型の胸当39を上下昇降自在に取付けている。
【００２９】
そして、胸受体31は、支持フレーム29の先端部において尻受体30に対して前方に向けて傾動するようになっている。なお、胸受体31は、前傾時に傾動フレーム38が昇降台20に取付けたダンパースプリング40に当接して、所定角度（ここでは、昇降台20に対して40度、尻受体30に対して20度）の傾斜角度まで前傾するようになっている。
【００３０】
次に、カバー体５の構成について説明すると、カバー体５は、図１及び図３に示すように、昇降台20の前端上部に左右一対の回転軸41の基端部を前後に所定角度（ここでは、水平状態から起立状態まで110度）の範囲で回転自在に取付け、回転軸41の先端部間に略Ｕ字型の保護カバー42を取付けている。
【００３１】
そして、カバー体５は、保護カバー42を起立させることで台座４の後方を開放して台座４への乗降を可能とし、一方、保護カバー42を水平に倒伏させることで台座４に着座する使用者の周囲を保護するようにしている。
【００３２】
以上に説明したように、車椅子１は、台車２に基台３を昇降可能に設け、基台３に前後伸縮可能に形成した尻受体30とその尻受体30に対して前後傾動可能に形成した胸受体31とを基台３に対して前後傾動可能に設けている。
【００３３】
そして、図４(a)に示すように、車椅子１の乗降時（車椅子１から椅子やベッドや便座などに乗り移る時、或いは、椅子などから車椅子１に乗り移る時）には、車椅子１を椅子などに近接させ、台車２の停車機構９で台車２を停車させるとともに、保護カバー42を起立させて台座４の後方を開放し、昇降機構21で尻受体30の高さを調節するとともに尻受体30を短縮させておく。これにより、使用者は、短縮させた尻受体30の長さ分だけ前方或いは後方に移動するだけで、車椅子１から椅子などに向けて、或いは、椅子などから車椅子１に向けて乗り移ることができる。
【００３４】
また、図４(b)に示すように、車椅子１に乗車時には、使用者の胸を胸受体31に当接させた状態で使用者が前傾すると、台座４が前傾し、胸受体31が使用者の胸部を受ける（支持する）ことによって使用者の尻部を尻受体30から浮かせた状態にすることができ、この状態で尻受体30を伸張又は短縮させることができる。
【００３５】
さらに、図４(c)に示すように、車椅子１での移動時には、保護カバー42を水平に倒伏させて使用者を保護し、台車２の停車機構９を解除するとともに、操舵機構10で所望の方向に操舵して所望の方向に前進又は後退させることができる。
【００３６】
このように、上記車椅子１では、台車２に基台３を設け、基台３に尻受体30と胸受体31とを基台３に対して前後傾動可能に設け、尻受体30を前後伸縮可能に形成しているために、胸受体31で使用者の胸部を受ける（支持する）ことによって使用者の尻部を尻受体30から浮かせた状態で尻受体30を伸張又は短縮させることができるので、車椅子１から或いは車椅子１へ乗り移る際に、使用者は短縮させた尻受体30の長さ分だけ移動すればよくなり、使用者の移動距離が短くなって、使用者の身体的負担を軽減させることができる。
【００３７】
また、上記車椅子１では、基台３を昇降可能に形成しているために、乗り移る椅子やベッドなどの高さに尻受体30の高さを調節することができ、より一層使用者の身体的負担を軽減させることができる。
【００３８】
さらに、上記車椅子１では、胸受体31を尻受体30に対して前後傾動可能に形成しているために、使用者をより一層前傾させることができ、使用者の尻部を尻受体30から確実に浮かせることができ、尻受体30の伸縮を容易に行うことができる。
【符号の説明】
【００３９】
１  車椅子                            ２  台車
３  基台                              ４  台座
５  カバー体                          ６  台板
７  転動輪                            ８  操舵輪
９  停車機構                          10  操舵機構
11  ブレーキパッド                    12  操作レバー
13  スプリング                        14  カバー
15  車輪                              16  プレート
17  操作レバー                        18  支柱
19  支持枠                            20  昇降台
21  昇降機構                          22  固定体
23  昇降体                            24  平行リンク
25  ハンドル                          26  回転軸
27  ラチェット機構                    28  ワイヤ
29  支持フレーム                      30  尻受体
31  胸受体                            32  第１座体
33  第２座体                          34  第３座体
35  ロッド                            36  カバー
37  ダンパースプリング                38  傾動フレーム
39  胸当                              40  ダンパースプリング
41  回転軸                            42  保護カバー
【図１】
0003152276.tif 000003
【図２】
0003152276.tif 000004
【図３】
0003152276.tif 000005
【図４】
0003152276.tif 000006